(57)【要約】      （修正有）【課題】スタンドを介して起立する薄型テレビを同じスタンドを使用して壁に掛けることが出来るスタンド装置の提供。【解決手段】薄型テレビ１の背面中央には互いに平行な２本のガイドレールが上下方向に延び、このガイドレールにはガイド溝９を沿設すると共にガイド溝９から枝分かれした概略Ｌ形の係合溝１０ａ，１０ｂ、１０ｃ、１０ｄを複数箇所に形成している。スタンド２の支柱５を両ガイドレールの空間に嵌合すると共に支柱５の外方向へ水平に延びる支軸１１をガイド溝９に遊嵌し、薄型テレビ１を床面又はテーブル面に起立して配置する場合にはガイドレールと支柱５を連結する固定ピン８を連通穴に嵌入する。又、壁面に薄型テレビ１を掛ける場合にはスタンド２を背面側に回転して上方へ移動すると共に、支軸１１を係合溝１０ａ，１０ｂ、１０ｃ、１０ｄに係合する。【選択図】図２
0003131671.tif 000002
【実用新案登録請求の範囲】
【請求項１】
基板から上方へ突出する支柱を有するスタンドに薄型テレビを取付けて床面又はテーブル面に起立して配置するスタンド装置において、薄型テレビの背面中央には互いに平行な２本のガイドレールが間に空間を設けて上下方向に延び、このガイドレールにはガイド溝を沿設すると共にガイド溝から枝分かれした概略Ｌ形の係合溝を複数箇所に形成し、上記スタンドの支柱を両ガイドレールの空間に嵌合すると共に支柱の外方向へ水平に延びる支軸をガイド溝に遊嵌し、薄型テレビを床面又はテーブル面に起立して配置する場合にはガイドレールと支柱を連結する固定ピンを連通穴に嵌入し、又、壁面に薄型テレビを掛ける場合にはスタンドを背面側に回転して上方へ移動すると共に、支軸を係合溝に係合することを特徴とする壁掛け機能を備えた薄型テレビのスタンド装置。
【請求項２】
ガイドレールを薄型テレビの背面側に形成した凹部内に取付けた請求項１記載の壁掛け機能を備えた薄型テレビにスタンド装置。
【考案の詳細な説明】
【技術分野】
【０００１】
本考案は薄型テレビを起立するスタンドであって、壁掛け機能を備えたスタンド装置に関するものである。
【背景技術】
【０００２】
薄型の液晶テレビやプラズマテレビではスタンドを有している場合が多い。これは、従来のブラウン管型式のテレビに比較して表示部が大きい割りに重量が小さい為に、スタンドを介して支持することが出来ることに起因する。勿論、他にも色々な理由はあるであろうが、テレビ全体の外観がスッキリする点も大きな理由である。ところで、スタンドは基台から垂直に起立し、その上端に表示部が取付けられている。
【０００３】
このような薄型テレビはスタンドを介して床面又はテーブルに設置することが出来るが、一方では部屋の壁面に掛けることも可能である。壁面に掛けるほうが場所を取らずに便利であるといったこともある。しかし、薄型テレビを壁面に掛ける場合にはスタンドとは別の壁掛け専用の金具が必要であり、スタンドを取外して壁掛け金具を取付けなくては成らない場合が多い。
【０００４】
特開２００２−３４１７８２号に係る「画像表示装置」は、折畳んで持ち運ぶことが出来、また、壁に掛けることも出来るように構成している。そこで、液晶モニター本体と支柱との連結部分及び台座と支柱との連結部分に、任意の角度で位置固定可能な角度調整機構を取付けている。そこで、液晶モニター本体と支柱を台座に対してほぼ平行に重なり合って折畳んで壁面に掛けることが出来る構造と成っている。
【０００５】
特開平８−１７２２７９号に係る「スタンド装置」は、ＰＤＰ等の薄型映像機器において、床置き設置から壁掛け設置などへの変更を容易にするスタンド装置であり、薄型映像機器の両側下部には凹部が設けられており、同凹部は上端を半円形に形成すると共に、下部にはカバー部を備えている。又半円の中心部にはストッパーが突設され、凹部両側の側壁には係止部が突設されている。スタンド脚は逆Ｕ字状に形成され、前記凹部に嵌入すると共に、その両側には前記係止部に対応する折曲部が設けられている。
【０００６】
ただし、このスタンド装置では、スタンド脚が壁掛け用の金具として機能するものではなく、薄型映像機器を壁面に掛ける場合には、壁掛けする為の別な金具を必要とする。
【特許文献１】特開２００２−３４１７８２号に係る「画像表示装置」
【特許文献２】特開平８−１７２２７９号に係る「スタンド装置」
【考案の開示】
【考案が解決しようとする課題】
【０００７】
このように、薄型テレビなどの表示部を支えるスタンドを備えた形態は色々知られているが、本発明はスタンドを取外すことなく、該スタンドを回転・移動することで床置き設置から壁掛け設置に容易に切り替えることが出来る薄型テレビのスタンド装置を提供する。
【課題を解決するための手段】
【０００８】
本発明に係る壁掛け機能を備えたスタンド装置は、床面やテーブル面に薄型テレビを設置することが出来ると共に、このスタンドを使用して部屋の壁面に掛けることが出来るように構成している。そこで、スタンドは基板と支柱で構成され、支柱は基板から垂直に起立して薄型テレビの下部に連結している。薄型テレビの背面側中央には２本のガイドレールが上下方向に設けられ、スタンドの支柱は両ガイドレール間に嵌合している。
【０００９】
ガイドレールにはガイド溝が沿設され、しかもガイド溝から枝分かれして延びる概略Ｌ形の係止溝が複数個所に形成されている。スタンドの支柱には両側へ水平に延びる支軸が取付けられ、この支軸は上記ガイドレールのガイド溝に遊嵌している。支柱には固定ピンが嵌入されていて、薄型テレビをスタンドを介して床面又はテーブル面に起立させる場合には転倒しないように成っている。該固定ピンはガイドレールと支柱に設けた連通穴に嵌ることで互いに回転しないように固定される。
【００１０】
薄型テレビを壁面に掛ける場合には、上記固定ピンを外してスタンドを背面側へ回転して倒し、支軸をガイド溝に沿ってスタンドを上方へ移動し、所定の位置にある係合溝へ支軸を誘導して嵌めることが出来る。スタンドの基板底面にはカギ穴が設けられ、このカギ穴に壁面のカギを係合することで薄型テレビをスタンドを介して掛けることが出来る。
【考案の効果】
【００１１】
本発明の壁掛け機能を有すスタンド装置は、薄型テレビを床面又はテーブル面に起立させることが出来、一方では同じスタンドを利用して部屋の壁面に薄型テレビを掛けることが出来る。薄型テレビの背後中央部には上下方向へ延びるガイドレールが設けられ、このガイドレースに沿ってスタンドを移動させ、ガイドレールに設けたガイド溝から枝分かれした係合溝に支柱両側へ延びる支軸を係合することで壁面に掛けることが出来る。すなわち、スタンドを取外すことなく背後へ回転することでそのまま壁掛け用として利用できる。
【実施例】
【００１２】
図１は本考案に係る薄型テレビのスタンド装置を表し、（ａ）は薄型テレビの背面図、（ｂ）はスタンドの位置が下方にある場合と移動して上方にある場合を示している。同図の１は薄型テレビ、２はスタンドを示し、（ａ）に示すように薄型テレビ１はスタンド２を介して床面３に垂直に起立して配置される。スタンド２は基板４と支柱５から成り、該支柱５は基板４の中央にて上方へ起立し、薄型テレビ１は支柱５に取付けられている。
【００１３】
そして、薄型テレビ１の背後中央部には所定の空間７を設けて互いに平行な２本のガイドレール６ａ，６ｂが上下方向に延びている。上記スタンド２の支柱５は両ガイドレール６ａ，６ｂに挟まれて空間７に嵌合している。ガイドレール６ａ，６ｂの背面側は開口し、図１（ｂ）のようにスタンド２を薄型テレビ１の背後に倒した状態で上方へ移動することが出来る。この実施例のガイドレール６ａ，６ｂは薄型テレビ１の背面に形成した凹部に取付けられ、ガイドレール６ａ，６ｂは背板にて被覆されている。
【００１４】
このように、スタンド２は床面３に置かれて薄型テレビ１が起立するように支えることが出来、又、壁面に薄型テレビ１を掛けることも出来る。ところで、本発明のスタンド装置は薄型テレビ１が転倒しないように起立させ、壁面には適当な高さになるように掛けることが出来る構造となっている。そして、床面３に置かれる場合には、図１（ａ）に示しているように薄型テレビ１の背後に空間７が形成されるが、この空間７を被覆する為のカバー１６を取付けることが出来る。
【００１５】
図２はスタンド２を薄型テレビ１の背後に倒し、これを移動して壁面に掛けることが出来るようにする手順を表している。
スタンド２を介して薄型テレビ１は起立しているが、壁面に掛ける場合には固定ピン８を外さなくてはならない。同図に示すように、ガイドレール６ａ，６ｂにはガイド溝９が沿設され、このガイド溝９には複数箇所に係合溝１０ａ，１０ｂ，１０ｃ，１０ｄが枝分かれして形成されている。
【００１６】
上記スタンド２の支柱５は両ガイドレール６ａ，６ｂに挟まれると共に、支柱５から外方向へ水平に延びている支軸１１がガイド溝９に遊嵌している。ただし、支軸１１がガイド溝９に遊嵌しているだけでは薄型テレビ１をスタンド２に起立させることは出来ない為に、支軸１１の下側には上記固定ピン８が取付けられ、該固定ピン８は支柱５とガイドレール６ａ，６ｂを連結している。すなわち、支柱５とガイドレール６ａ，６ｂの連通穴に固定ピン８が嵌入される。このように、支軸１１と固定ピン８の２本で薄型テレビ１は転倒することなくスタンド２の支柱５に取付けられる。
（ａ）は上記固定ピン８を取外した場合である。固定ピン８が取外されることで、スタンド２は薄型テレビ１を垂直に起立して支えることは出来ない。すなわち、薄型テレビ１に対してスタンド２は回転可能なフリー状態となり、又ガイドレール６ａ，６ｂに沿って移動することが出来る。
（ｂ）はスタンド２が薄型テレビ１の背後へ回転した場合を示している。すなわち、上記固定ピン８を取外すことでスタンド２はガイド溝９に遊嵌している支軸１１を中心として回転することが出来る。
（ｃ）はスタンド２を薄型テレビ１の上方へ移動させた場合を示している。スタンド２の支柱５は両ガイドレール６ａ，６ｂに挟まれ、空間７内を上方へ移動することが出来る。この場合、支柱５の外方向へ延びている支軸１１はガイドレール６ａ，６ｂに沿って形成されているガイド溝９に沿って移動する。
【００１７】
そして、支軸１１はガイド溝９の上端にて枝分かれした係合溝１０ａに係合している。従って、支軸１１は位置決めされてスタンド２はこれ以上上昇することは出来ず、この状態でスタンド２を壁面に掛けることが出来る。又、支軸１１が係合することが出来るのは上端の係合溝１０ａだけでなく、他の係合溝１０ｂ，１０ｃ・・にも係合することが出来、壁面に掛けた場合の薄型テレビ１の高さが調整される。
【００１８】
図３は薄型テレビ１を壁面に掛ける場合を示している。壁面１２にはカギ１３が取着されていて、このカギ１３にスタンド２が係止する。
（ａ）はスタンド２の支軸１１が上端の係合溝１０ａに係合している場合であり、この状態でスタンド２をカギ１３に係止すれば薄型テレビ１の高さは低い位置となる。
（ｂ）は支軸１１が係合溝１０ｃに係合している場合であり、この状態でスタンド２をカギ１３に係止すれば薄型テレビ１の高さは比較的高い位置となる。
【００１９】
スタンド２の基板４の底には左右にカギ穴１４ａ，１４ｂが設けられていて、このカギ穴１４ａ，１４ｂがカギ１３，１３に係止することが出来るようにしている。スタンド２の基板４はカギ１３に係止すると共に、その平坦な全底面１５が壁面１２に当接してスタンド２は安定する。その結果、薄型テレビ１は壁面１２に安定して掛けられる。
【００２０】
ところで、逆に壁面１２に掛けられている薄型テレビ１を床面３にスタンド２を介して起立させる場合、スタンド２をガイドレール６ａ，６ｂに沿って下方へ移動する。そして、下端にてスタンド２を回転して図２(ａ)の状態とし、取外してある固定ピン８を図１（ｂ）に示すように両ガイドレール６ａ，６ｂの両側から支柱５に嵌入する。従って、スタンド２は薄型テレビ１の下端に回転することなく固定され、床面３に置かれるスタンド２を介して薄型テレビ１は起立して配置される。
【図面の簡単な説明】
【００２１】
【図１】薄型テレビの背面状態。
【図２】スタンドをガイドレールに沿って上方へ移動する場合。
【図３】スタンドを介して壁面に薄型テレビを掛ける場合。
【符号の説明】
【００２２】
１  薄型テレビ
２  スタンド
３  床面
４  基板
５  支柱
６  ガイドレール
７  空間
８  固定ピン
９  ガイド溝
10  係合溝
11  支軸
12  壁面
13  カギ
14  カギ穴
15  底面
16  カバー
【図１】
0003131671.tif 000003
【図２】
0003131671.tif 000004
【図３】
0003131671.tif 000005